(57)【要約】【目的】本考案は、通気部材をもって、中空層内の空気の流通が起動し、木造住宅等の構成、及び居住上で求められる各種の性能を高めて、例えば室内空調機の選択に於いて、省エネ型でもって、小なる室面積の標準機種を、大なる面積の室に用いて余裕の対応を可能にし、経費節減と共に、ＣＯ２放出削減に寄与し、実質的優良住宅の具現に向ける等、建築産業界、並びに国内林業、木材振興等、自然環境改善の分野に資する。【構成】本考案は、ラック歯の形状が特徴の構造用合板、若しくは、他素材で製品化された同形状の通気部材で、従来、木造住宅等への壁内・中空層に於いて、空気流通を阻害していた、外周壁の横架材の部位に定着して、上下階中空層・空気層の連通を果たし、下部中空層から上部中空層へ、更に屋根裏空間から大気還流へと、自然の空気の流通を図る構成である。【選択図】図２
0003102015.tif 000002
【実用新案登録請求の範囲】
【請求項１】
ラック歯の形状が特徴の構造用合板、若しくは、同形状を有した他素材製の、通気部材を木造住宅等の胴差等、外周横架材の外壁側に定着して、上面部をモルタル塗り等の外壁仕上げを施すことによって、通気路を形成し、胴差等、横架材の下部中空層から上部中空層へ連通して、空気の流通を行う通気部材。
【考案の詳細な説明】
【考案の詳細な説明】
【産業上の利用分野】
【０００１】  本考案は、在来木造軸組構法ならびに、木質系枠組壁工法等による、木造住宅等の内壁・中空層連通に関するものである。
【背景技術】
【０００２】  従来の木造住宅等では、壁の中に空気を封じ込めた構造で、このため、湿気・ムレに依って、土台、柱等の構造部材に腐食、蟻害等を誘発していた。【０００３】  壁体をパネル化し、同パネルの四方枠に切り欠き部を設けて同パネル内部の空気通路とし、空気流通を図ったパネル。【０００４】  外周部の横架材の外壁側に、切り欠き部を設けて外壁仕上げを施し、同切り欠き部を、通気路として、外周横架材上下の中空層の空気流通を図った、木造軸組、及び枠組壁工法【０００５】  外壁下地の全面に防風透湿紙張り等を施した上面部に縦胴縁を、横方向の場合では、通気のための切り欠き部を設けた横胴縁を配した上面部に、外壁仕上げを施す、外壁通気工法。
【考案が解決しようとする課題】
【０００６】
【０００３】及び
【０００４】は、何れも労力を費やして構造部材を切り欠くなど強度を損じる等のマイナス面が大である。
【０００５】は、本考案の内壁中空層通気とは、通気路の部位を異にした、外壁通気工法であり、縦方向、及び横方向の通気胴縁を介して施す外壁仕上げでは、地震動、台風圧等の外力に対して、強度・安定に欠ける点等が問題視されている。
【問題を解決するための手段】
【０００７】  従来、壁の中、即ち中空層内で通気を阻害し、空気を封じ込めていた外周壁内の土台、胴差、桁等の横架材部の外壁側に、ラック歯の形状が特徴の、通気路を形成する通気部材を定着して、外壁仕上げを施すことによって、上下階の、下部中空層から上部中空層へ連通して、空気流通が起動し、従来の通気阻害の部位を、空気流通の機能中枢部に転換させて解決する。
【作用】
【０００８】  外周壁の横架材部の外壁側に定着した通気部材は、そのまま、モルタル塗り等の下地材として兼用できるので経済的である。モルタル塗り等の外壁仕上げを施すと、ラック歯状の通気路が形成されて、基礎換気口から床下空間に入る外気は、風圧、及び温度差において、上下階を連通した中空層内を連通した中空層内を自然に上昇する。
夏、冬で気温が異なる外気は、基礎で囲われた床下内の地温等、室内空調の温・湿度に協調する環境において軟らぎ、同環境の空気を伴って木が有する自然特性の調湿機能の活性に作用し乍ら上昇し、屋根裏空間から最頂部の棟換気口を経て大気へ還流する。
【実施例】
【０００９】  図面に従って実施例を説明する。矢印が空気の流れを示す。１が構造用合板等を、ラック歯状に二次加工をした、基本型一対の通気部材である。同部材を、４外周壁横架材部の外壁側にあてがい、ラック歯状の斜辺部の隙間３センチ程度を確保するよう、上下に等分にズラして定着すると、同部材の厚さの分の凹状溝が形成できる。一方、同斜辺の両端につながる上辺部と、横架材の上端面、及び下端面では、各々１１中空層・通気層に通じるトンネル状となり、同横架材の外壁側には、ラック歯状でつながり連続した、２通気路の原形を形成する。【００１０】  次に、基本型一対の、各一方の通気部材３を、図１に示すように、各階の横架材４の土台、及び桁の各々の部位に定着すると、２通気路のトンネル状を形成できると同時に、基本型一対の通気部材１の定着部位と同様に、５垂直部材の柱、間柱、及び斜材の６筋交いの各々端部全てを、本通気部材を介して、４横架材に緊結、拘束して、外周壁全体の軸組構造を強化できる。定着には所定強度を有する合板用ビスを用いる。【００１１】  通気部材１、及び３は、そのままでモルタル塗り等の下地材に兼用できるので、上面部に防水紙とメタルラス張り等を施し、モルタル塗り等の外壁を完成すると、斜辺の凹状部が塞がれてトンネル化し、同斜辺に接して形成したトンネル状の部分と接続がなり、２通気路を形成する。【００１２】  外周横架材４のせい高さが、所定寸法より大なる場合には、図３に示すような方法で対応する。即ち、一対の通気部材で噛み合ったラック歯部を、はずして左右にずらし、上下が対象の状態にして、横架材外壁側の中心線にあてがい、上下等分で所定の間隔を確保して定着する。上下対象で空いた部位には、六角形の通気対応部材１９を定着し、通気路２の溝状を接続形成する。部材に無駄がなく資材の有効利用ができる。【００１３】  図１外壁軸組概要図のように、外周壁全体にラック歯状の通気部材を配した外観には、空気の流動が実感できる光景が現れるのであるが、実際に、外壁の完成と同時に通気路２の接続が成り、空気の流通が起動するのである。【００１４】  考案の通気部材は、断熱効果を損なうことはなく、構造軸組等を強化して、下部中空層から上部中空層へと通気層を連通して、自然的に空気の連通を行う構成で、他工法の外断熱、及び外壁通気、枠組壁、パネル等の、各工法への応用組み入れが可能で、同様の効果が得られる。
【考案の効果】
【００１５】  従来、壁の中の通気を阻害して様々の有害の要因をなしていた部位を、本考案の通気部材をもって、空気流通の機能が起動する中枢の部位へと転換して、下部中空層から上部中空層へと空気の流通が始まる。これによって、木造住宅等の木組み構造における、木の自然の調湿機能が活性化し、壁内等、目が届かぬ部位に於ける、湿気、蟻害、腐朽菌等、さまざまな外界の有害な環境因子の作用を排除できる他、社会問題化した、シックハウスの有害物質等排出の手段、対策に用いて有効である。
本通気部材に基づく効果は、単に、構造強度性能の向上に留まらず、耐震、耐久、断熱等、居住上に希求される快適性の長期の持続性が肝要である。これによって、住宅等に求められる安心が成り立ち、実際に、省エネを果たす優良住宅のストックの具現等、建築産業界、林業、土木振興等、広く自然環境改善の分野に資する。
【図面の簡単な説明】
【図１】考案の通気部材を定着した、外周壁軸組の概要図。
【図２】基本型一対の通気部材と、横架材部に定着した部位の断面図。
【図３】所定よりも大なる横架材の場合の同部位に対応する通気部材一対の用い方で、対応部材１９と、同部材を併用して定着した部位の断面図。
【符号の説明】
１    基本型一対の通気部材
２    通気路
３    通気部材の各一方側
４    各階の横架材
５    垂直部材の柱、間柱
６    筋交い材
７    コンクリート布基礎
８    換気・吸気口
９    床下内空間
１０  外壁
１１  通気層・中空層
１２  内壁及び同断熱層
１３  １階床
１４  １階天井
１５  ２階床
１６  ２階天井及び同断熱層
１７  屋根裏空間
１８  棟換気口部
１９  通気対応部材
【図１】
0003102015.tif 000003
【図２】
0003102015.tif 000004
【図３】
0003102015.tif 000005